(57)【要約】【課題】水中の被照射物に光を照射しても、水中の被照射物の色合いを陸上と同様の自然な色合いにすることができる照明装置を提供する。【解決手段】照明装置１は、白色ＬＥＤ５と、非白色ＬＥＤである橙色ＬＥＤ６と、白色ＬＥＤ５及び橙色ＬＥＤ６からの光を制御する制御部９とを備え、橙色ＬＥＤ６からの光は、ＣＩＥ色度図において、白色ＬＥＤ５の色度座標（ｘ０，ｙ０）と、白色ＬＥＤからの光の分光分布及び照明装置１からの水中距離に対応した水中の分光透過率分布から得られる色度座標（ｘ１，ｙ１）とを通る直線上で、白色ＬＥＤ５の色度座標（ｘ０，ｙ０）を基準としてｘが増加する方向の色度座標（ｘ２，ｙ２）の色度を有する。【選択図】  図６
2012059411.tif 000002
【特許請求の範囲】
【請求項１】
少なくとも一つの白色ＬＥＤと、少なくとも一つの非白色ＬＥＤと、該少なくとも一つの白色ＬＥＤ及び該少なくとも一つの非白色ＬＥＤからの光を制御する制御部とを備え、
該少なくとも一つの非白色ＬＥＤからの光は、ＣＩＥ色度図において、該白色ＬＥＤの色度座標（ｘ０，ｙ０）と、該白色ＬＥＤからの光の分光分布及び照射装置からの水中距離に対応した水中の分光透過率分布から得られる色度座標（ｘ１，ｙ１）とを通る直線上で、該白色ＬＥＤの色度座標（ｘ０，ｙ０）を基準としてｘが増加する方向の色度座標（ｘ２，ｙ２）の色度を有し、
該制御部は、水中透過後の該少なくとも一つの白色ＬＥＤからの光と該少なくとも一つの非白色ＬＥＤからの光との混色により得られる光の色合いを、水中透過前の該少なくとも一つの白色ＬＥＤからの光の色合いに調整することを特徴とする照明装置。
【請求項２】
請求項１記載の照明装置であって、
前記少なくとも一つの非白色ＬＥＤからの光は、ＣＩＥ色度図において、前記白色ＬＥＤの色度座標（ｘ０，ｙ０）と、該白色ＬＥＤからの光の分光分布及び該照射装置からの水中距離に対応した水中の分光透過率分布から得られる色度座標（ｘ１，ｙ１）とを通る直線上で、該白色ＬＥＤの色度座標（ｘ０，ｙ０）を基準としてｘが増加する方向の色度座標であると共に、該直線とスペクトル軌跡との交点座標（ｘ２’，ｙ２’）の色度を有することを特徴とする照明装置。
【請求項３】
請求項１又は２記載の照明装置であって、
前記少なくとも一つの非白色ＬＥＤからの光は、ピーク波長が５８０ｎｍ以上であることを特徴とする照明装置。
【請求項４】
請求項１乃至３のいずれか一項に記載の照明装置であって、
前記少なくとも一つの非白色ＬＥＤからの光は、ドミナント波長が５９０ｎｍであることを特徴とする照明装置。
【請求項５】
請求項１乃至４のいずれか一項に記載の照明装置であって、
前記制御部は、水中透過後の調整された前記少なくとも一つの白色ＬＥＤ及び前記少なくとも一つの非白色ＬＥＤからの光量の総和が水中透過前の該少なくとも一つの白色ＬＥＤからの光量となるように、該少なくとも一つの白色ＬＥＤ及び該少なくとも一つの非白色ＬＥＤからの光を制御することを特徴とする照明装置。
【請求項６】
請求項１乃至５のいずれか一項に記載の照明装置であって、
超音波を用いて前記水中距離を測定して距離情報とする距離計と、
前記ＬＥＤの近傍に、該超音波を送信する送信部及び被照射物からの反射波を受信する受信部とを備え、
前記制御部は、該距離計により得られた該距離情報に基づいて、前記少なくとも一つの白色ＬＥＤ及び前記少なくとも一つの非白色ＬＥＤからの光を制御することを特徴とする照明装置。
【請求項７】
請求項１乃至５のいずれか一項に記載の照明装置であって、
超音波を送信する送信部と、被照射物からの反射波を受信する受信部と、前記水中距離を測定して距離情報とする距離計と、該距離情報を該照明装置に送信する距離情報送信部とを備える撮像装置から距離情報を受信する距離情報受信部を備え、
前記制御部は、該距離情報受信部で受信した該距離情報に基づいて、前記少なくとも一つの白色ＬＥＤ及び前記少なくとも一つの非白色ＬＥＤからの光を制御することを特徴とする照明装置。
【発明の詳細な説明】
【技術分野】
【０００１】
本発明は、照明装置に関する。
【背景技術】
【０００２】
照明装置からの光を水中の被照射物に照射し、被照射物の観察を行う際、或いは水中スチルカメラや水中ビデオカメラ等の撮影装置を用いて被照射物の水中撮影を行う際、水中では光の減衰が大きく、また水中での光の透過率が波長ごとに異なるので、水中の被照射物の色彩は陸上と異なって認識される。
【０００３】
水中の光は、水中の分光透過率分布において、橙色から赤色までの波長に対応する範囲では、他の波長の範囲と比較して、透過率が小さくなるという性質を有するので、水中の被照射物は地上の被照射物よりも青く認識される。
【０００４】
そこで、従来より、照明装置からの光を水中の被照射物に照射して水中撮影を行う場合、被照射物の色合いを陸上と同様の色合いにするため、撮影された被照射物の画像に対して画像処理が行われている。また、色補正用フィルタを照明装置又は撮影装置に装着することも行われている（特許文献１参照）。
【先行技術文献】
【特許文献】
【０００５】
【特許文献１】特開２０００−２４４８０６号公報
【発明の概要】
【発明が解決しようとする課題】
【０００６】
しかしながら、特許文献１記載の色補正用フィルタを装着する撮影装置では、照明装置から被照射物に照射されて撮影装置に到達した光が色補正用フィルタで減光されるので、照明装置からの光を有効に利用することができない。また、色補正用フィルタによる色補正は一通りに限られるので、水中の被照射物から照明装置までの距離に応じた色補正を行うことが困難である。
【０００７】
このため、照明装置からの光を水中の被照射物に照射して水中撮影を行う場合、被照射物の色合いを陸上と同様の色合いにすることは難しいという不都合を生じる。
【０００８】
本発明は、かかる不都合を解消して、水中の被照射物に光を照射しても、被照射物の色合いを陸上と同様の自然な色合いにすることができる照明装置を提供することを目的とする。
【課題を解決するための手段】
【０００９】
本発明の照明装置は、少なくとも一つの白色ＬＥＤと、少なくとも一つの非白色ＬＥＤと、該少なくとも一つの白色ＬＥＤ及び該少なくとも一つの非白色ＬＥＤからの光を制御する制御部とを備え、該少なくとも一つの非白色ＬＥＤからの光は、ＣＩＥ色度図において、該白色ＬＥＤの色度座標（ｘ０，ｙ０）と、該白色ＬＥＤからの光の分光分布及び照射装置からの水中距離に対応した水中の分光透過率分布から得られる色度座標（ｘ１，ｙ１）とを通る直線上で、該白色ＬＥＤの色度座標（ｘ０，ｙ０）を基準としてｘが増加する方向の色度座標（ｘ２，ｙ２）の色度を有し、該制御部は、水中透過後の該少なくとも一つの白色ＬＥＤからの光と該少なくとも一つの非白色ＬＥＤからの光との混色により得られる光の色合いを、水中透過前の該少なくとも一つの白色ＬＥＤからの光の色合いに調整することを特徴とする。
【００１０】
異なる色光を有する２種類のＬＥＤからの光の混色により得られる光は、ＣＩＥ（CommissionInternationale de l'Eclairage：国際照明委員会）色度図上で、一のＬＥＤの色度座標と他のＬＥＤの色度座標とを通る直線上の色度座標の色度を有するという性質がある。
【００１１】
この性質に基づいて、２種類のＬＥＤからの光の混色により得られる光を、水中においても陸上と同様の白色ＬＥＤからの光の色合いに調整するため、白色ＬＥＤと、次のようにして非白色の色光を照射するＬＥＤとを選択することができる。
【００１２】
まず、少なくとも一つの白色ＬＥＤからの光の分光分布から三刺激値を算出し、算出された三刺激値からＣＩＥ色度図上での白色ＬＥＤの色度座標（ｘ０，ｙ０）を算出する。
【００１３】
次に、少なくとも一つの白色ＬＥＤからの光の分光分布と、照射装置からの水中距離に対応した水中の分光透過率分布とから、水中での三刺激値を算出し、算出された水中での三刺激値からＣＩＥ色度図上での水中での白色ＬＥＤの色度座標（ｘ１，ｙ１）を算出する。
【００１４】
ここで、水中での白色ＬＥＤの色度座標（ｘ１，ｙ１）は、一定の水中距離において、ＣＩＥ色度図において、白色ＬＥＤの色度座標（ｘ０，ｙ０）を通る同一直線上を移動するという性質を有する。
【００１５】
そこで、ＣＩＥ色度図上で、白色ＬＥＤの色度座標（ｘ０，ｙ０）と、水中での白色ＬＥＤの色度座標（ｘ１，ｙ１）とを通る直線において、白色ＬＥＤの色度座標（ｘ０，ｙ０）を基準として、ｘが増加する方向の色度座標（ｘ２，ｙ２）の色度を有する光を、少なくとも一つの非白色ＬＥＤからの光に選択する。尚、直線上の色度座標とは、直線上に位置する色度座標に限定される座標以外に、当該座標の近傍の座標も含むものである。
【００１６】
水中において、少なくとも一つの白色ＬＥＤからの光と、少なくとも一つの非白色ＬＥＤからの光との混色により得られる光は、ＣＩＥ色度図において、白色ＬＥＤの色度座標（ｘ０，ｙ０）と、水中での白色ＬＥＤの色度座標（ｘ１，ｙ１）とを通る直線上の色度座標の色度を有する。
【００１７】
従って、混色により得られる光を、陸上と同様の白色ＬＥＤからの光の色合いに調整することができるので、水中の被照射物に光を照射しても、被照射物の色合いを陸上と同様の自然な色合いにすることができる。
【００１８】
また、本発明の照明装置によれば、水中において、少なくとも一つの白色ＬＥＤからの光と、少なくとも一つの非白色ＬＥＤからの光との混色により得られる光を用いるので、照明装置から照射される光を減光することなく、有効に利用することができる。
【００１９】
また、本発明の照明装置によれば、水中距離に対応した水中の分光透過率を用いることにより、少なくとも一つの白色ＬＥＤからの光と、少なくとも一つの非白色ＬＥＤからの光との混色により得られる光を調整している。従って、制御部は水中距離に応じて２種類のＬＥＤからの光を制御し、混色により得られる光を、陸上と同様の白色ＬＥＤからの光の色合いに確実に調整することができる。
【００２０】
さらに、本発明の照明装置によれば、制御部により少なくとも一つの白色ＬＥＤ及び少なくとも一つの非白色ＬＥＤからの光を制御するだけで、被照射物の色合いと同様に、自然な色合いにすることができるので、照明装置にフィルタ等の部材を装着する必要がなく、照明装置の部品点数を低減し、照明装置の製造工程における工数も低減し、さらに照明装置の操作も簡素化させることができる。
【００２１】
少なくとも一つの非白色ＬＥＤからの光として、例えば、ＣＩＥ色度図上で、ＣＩＥ色度図において、前記白色ＬＥＤの色度座標（ｘ０，ｙ０）と、該白色ＬＥＤからの光の分光分布及び該照射装置からの水中距離に対応した水中の分光透過率分布から得られる色度座標（ｘ１，ｙ１）とを通る直線上で、該白色ＬＥＤの色度座標（ｘ０，ｙ０）を基準としてｘが増加する方向の色度座標であると共に、該直線とスペクトル軌跡との交点座標（ｘ２’，ｙ２’）の色度を有する光、ピーク波長が５８０ｎｍ以上である光、ドミナント波長が５９０ｎｍである光等が挙げられる。尚、ドミナント波長が５９０ｎｍであるとは、ドミナント波長が５９０ｎｍ〜６１０ｎｍの範囲の波長であることをいう。
【００２２】
本発明の照明装置において、前記制御部は、水中透過後の調整された前記少なくとも一つの白色ＬＥＤ及び前記少なくとも一つの非白色ＬＥＤからの光量の総和が水中透過前の該少なくとも一つの白色ＬＥＤからの光量となるように、該少なくとも一つの白色ＬＥＤ及び該少なくとも一つの非白色ＬＥＤからの光を制御することが好ましい。
【００２３】
本発明の照明装置によれば、制御部により、水中透過後の調整された少なくとも一つの白色ＬＥＤ及び少なくとも一つの非白色ＬＥＤからの光量の総和が水中透過前の少なくとも一つの白色ＬＥＤからの光量と同じになるよう制御されるので、明るさを一定にすることができる。従って、混色により得られる光を、陸上と同様の明るさである白色ＬＥＤからの光の色合いに確実に調整することができる。
【００２４】
本発明の照明装置において、超音波を用いて前記水中距離を測定して距離情報とする距離計と、前記ＬＥＤの近傍に、該超音波を送信する送信部及び被照射物からの反射波を受信する受信部とを備え、前記制御部は、該距離計により得られた該距離情報に基づいて、前記少なくとも一つの白色ＬＥＤ及び前記少なくとも一つの非白色ＬＥＤからの光を制御することが好ましい。
【００２５】
本発明の照明装置によれば、制御部は、照明装置の距離計により得られた距離情報に基づいて、少なくとも一つの白色ＬＥＤからの光と、少なくとも一つの非白色ＬＥＤからの光とを制御するので、少なくとも一つの白色ＬＥＤからの光と少なくとも一つの非白色ＬＥＤからの光との混色により得られる光を、陸上と同様の白色ＬＥＤからの光の色合いに確実に調整することができる。
【００２６】
さらに、本発明の照明装置において、超音波を送信する送信部と、被照射物からの反射波を受信する受信部と、前記水中距離を測定して距離情報とする距離計と、該距離情報を該照明装置に送信する距離情報送信部とを備える撮像装置から距離情報を受信する距離情報受信部を備え、前記制御部は、該距離情報受信部で受信した該距離情報に基づいて、前記少なくとも一つの白色ＬＥＤ及び前記少なくとも一つの非白色ＬＥＤからの光を制御することも好ましい。
【００２７】
本発明の照明装置によれば、撮像装置により得られた距離情報を受信し、受信した距離情報に基づいて、少なくとも一つの白色ＬＥＤからの光と、少なくとも一つの非白色ＬＥＤからの光とを制御し、２種類のＬＥＤからの光の混色により得られる光を、陸上と同様の白色ＬＥＤからの光の色合いに確実に調整することができる。
【図面の簡単な説明】
【００２８】
【図１】本実施形態の照明装置の一構成例を示す斜視図。
【図２】図１に示す照明装置の正面図。
【図３】図２のIII−III線断面図。
【図４】本実施形態の照明装置に用いられる白色ＬＥＤの分光分布と水中１ｍ透過後の白色ＬＥＤの分光分布を示すグラフ。
【図５】光の三刺激値を示すグラフ。
【図６】水中透過後の白色ＬＥＤからの光の色度座標の変化を示すＣＩＥ色度図。
【図７】水中距離と、白色ＬＥＤ及び橙色ＬＥＤの光量との関係を示す図。
【図８】本実施形態の照明装置の一構成例を示すブロック図。
【図９】変形例の照明装置を示すブロック図。
【図１０】他の変形例の照明装置を示すブロック図。
【発明を実施するための形態】
【００２９】
次に、添付図面を参照しながら本発明の実施の形態についてさらに詳しく説明する。
【００３０】
図１〜図３に示すように、本実施形態の照明装置１は、円筒状の筐体２と、キャップ部材３と、カバー部材４と、主光源としての白色ＬＥＤ５と、色調整用光源としての非白色ＬＥＤである橙色ＬＥＤ６と、白色ＬＥＤ５及び橙色ＬＥＤ６からの光が照射される光学部材７と、白色ＬＥＤ５及び橙色ＬＥＤ６が支持される基板８と、制御部９と、制御部９に電源を供給するバッテリ１０と、ＯＮ／ＯＦＦスイッチと調整ダイヤルとを兼用するダイヤルスイッチ１１とから構成される。
【００３１】
筺体２は、合成樹脂等の材料により、両端側が開放された略々円筒状に形成された部材である。筐体２は、照明装置１からの光が出射する前端側開口部に着脱可能に取り付けられるキャップ部材３と、後端側開口部に着脱可能に取り付けられるカバー部材４とを備える。キャップ部材３及びカバー部材４は、合成樹脂等の材料により、筺体２の外径に略々等しい内径の円環状に形成されている。
【００３２】
キャップ部材３は、光学部材７がその内周面側に嵌め込まれている。キャップ部材３が取り付けられる筐体２の前端側の開口部は、光学部材７により閉蓋される。
【００３３】
カバー部材４は、一端側が開放され、他端側が閉塞されている。カバー部材４は、開放された一端側を前方側となして、筺体２の後端部に突き合わせるようにして、筺体２に取付けられる。
【００３４】
そして、筐体２、キャップ部材３、カバー部材４及び光学部材７のそれぞれの間には、水の浸入を防止するため、シリコンゴム等の弾性を有する図示しないＯ−リング等の防水機構を備えている。
【００３５】
筐体２内部には、基板８に支持された白色ＬＥＤ５と橙色ＬＥＤ６とを備える。白色ＬＥＤ５は、照明装置１の主光源として用いられる。一方、橙色ＬＥＤ６は、色調整用光源として用いられる。
【００３６】
白色ＬＥＤ５は、ピーク波長４５０ｎｍの青色発光素子上に黄色蛍光体を配置した擬似白色ＬＥＤである。白色ＬＥＤ５は、黄色蛍光体中の蛍光物質の含有量が調整され、ＣＩＥ色度図の黒体放射軌跡上の色度を有する光を照射するように構成されている。
【００３７】
橙色ＬＥＤ６は、ドミナント波長が５９０ｎｍの光を照射するものである。図４に示すように、水中１ｍ透過後の白色ＬＥＤ５からの光の分光分布（破線）は、陸上での分光分布（実線）に対して、透過率が低下することがわかる。特に、５５０ｎｍ付近以降、すなわち、橙色から赤色の波長の範囲において、透過率が低下することがわかる。
【００３８】
本発明者らは、白色ＬＥＤ５からの光を水中の被照射物に照射したときに、被照射物の色合いを陸上と同様に自然な色合いにするため、次のように水中における白色ＬＥＤ５からの光の変化を観察し、色調整用光源として橙色ＬＥＤを採用した。
【００３９】
まず、白色ＬＥＤ５からの光の分光分布Ｐ（λ）（λは波長）から三刺激値Ｘ，Ｙ，Ｚを算出し、算出された三刺激値Ｘ，Ｙ，ＺからＣＩＥ色度図上での白色ＬＥＤの色度座標である（ｘ０，ｙ０）を算出した。
【００４０】
三刺激値Ｘ，Ｙ，Ｚは、以下のように求められる。
【数１】
2012059411.tif 000003
【００４１】
【数２】
2012059411.tif 000004
【００４２】
ここで、Ｐ（λ）は主光源である白色ＬＥＤ５からの光の分光分布であり、ｘｓ（λ），ｙｓ（λ），ｚｓ（λ）はＸＹＺ表色系のスペクトル三刺激値であり、ｋは刺激値Ｙの値を百分率で表した透過率に一致するように定める係数である。
【００４３】
そして、ＣＩＥ色度図上での白色ＬＥＤの色度座標は、算出された三刺激値Ｘ，Ｙ，Ｚから、以下のように求められる。
【００４４】
ｘ＝Ｘ／（Ｘ＋Ｙ＋Ｚ），ｙ＝Ｙ／（Ｘ＋Ｙ＋Ｚ）          ・・・（３）
本実施形態において、陸上での白色ＬＥＤ５からの光に対する三刺激値Ｘ０，Ｙ０，Ｚ０は、Ｘ０が１３．３２、Ｙ０が１３．０１、Ｚ０が１０．０８と算出され、色度座標Ｑ０（ｘ０，ｙ０）は（０．３６６，０．３５７）となった。
【００４５】
次に、白色ＬＥＤ５からの光の分光分布Ｐ（λ）と、照射装置１からの水中距離に対応した水中の分光透過率分布ρ（λ）とから水中での光の三刺激値Ｘ１，Ｙ１，Ｚ１を算出し、算出された水中での光の三刺激値Ｘ１，Ｙ１，Ｚ１からＣＩＥ色度図上での水中での白色ＬＥＤ５の色度座標Ｑ１（ｘ１，ｙ１）を算出した。
【００４６】
三刺激値Ｘ１，Ｙ１，Ｚ１は、以下のように求められる。ここで、Ｋは刺激値Ｙの値を百分率で表した透過率に一致するように定める係数である。
【数３】
2012059411.tif 000005
【００４７】
【数４】
2012059411.tif 000006
【００４８】
例えば、水中を４ｍ透過した白色ＬＥＤ５の色度座標Ｑ１（ｘ１，ｙ１）は、（０．２９２，０．３２９）となった。図６に、計算した水中透過後の白色ＬＥＤ５の色度座標をプロットしたＣＩＥ色度図を示す。
【００４９】
図６に示すように、水中での白色ＬＥＤ５の色度座標は、一定の水中距離において、ＣＩＥ色度図上で、白色ＬＥＤの色度座標Ｑ０（ｘ０，ｙ０）を通る同一直線上を移動するという性質を有する。
【００５０】
そこで、ＣＩＥ色度図上で、色度座標Ｑ０（ｘ０，ｙ０）と、水中を４ｍ透過した後の色度座標Ｑ１（ｘ１，ｙ１）とを通る直線を求め、色度座標Ｑ０（ｘ０，ｙ０）を基準に、ｘが増加する方向の直線上の色度座標であると共に、直線とスペクトル軌跡との交点座標Ｑ２（ｘ２’，ｙ２’）を算出した。
【００５１】
色度座標Ｑ０（ｘ０，ｙ０）と、水中を４ｍ透過した後の色度座標Ｑ１（ｘ１，ｙ１）とを通る直線は、ｙ＝０．３８３×ｘ＋０．２１８と求められた。色度座標Ｑ２（ｘ２’，ｙ２’）は（０．５７５，０．４２４）となり、ドミナント波長は５９０ｎｍと求められた。
【００５２】
ここで、水中において、白色ＬＥＤ５からの光と、ドミナント波長５９０ｎｍである非白色ＬＥＤからの光との混色により得られる光は、ＣＩＥ色度図上で、色度座標Ｑ０（ｘ０，ｙ０）と、水中での白色ＬＥＤの色度座標Ｑ１（ｘ１，ｙ１）とを通る直線上の色度座標の色度を有する。従って、混色により得られる光を陸上と同様の白色ＬＥＤからの光の色合いに調整するため、ドミナント波長５９０ｎｍの橙色ＬＥＤを色調整用光源として採用した。
【００５３】
筐体２内部には、白色ＬＥＤ５及び橙色ＬＥＤ６からの光を制御する制御部９と、制御部９に電源を供給するバッテリ１０とを備える。
【００５４】
制御部９は、白色ＬＥＤ５及び橙色ＬＥＤ６の駆動を制御する図示しない駆動回路を備える。制御部９は、駆動回路により、白色ＬＥＤ５と橙色ＬＥＤ６に供給する電流量を制御し、被照射物から照明装置１までの距離に応じて、白色ＬＥＤ５と橙色ＬＥＤ６とからの光量を制御する。
【００５５】
白色ＬＥＤ５と橙色ＬＥＤ６に供給される電流量は、図７に示す照明装置１からの水中距離と白色ＬＥＤ５及び橙色ＬＥＤ６からの光量との関係に基づいて定められる。照明装置１からの水中距離と白色ＬＥＤ５及び橙色ＬＥＤ６からの光量との関係は、次のようにして定められる。
【００５６】
まず、白色ＬＥＤ５及び橙色ＬＥＤ６の分光分布と、各ＬＥＤ５，６からの水中距離毎の分光透過率とから、各水中距離での刺激値Ｘ，Ｙを算出する。本実施形態において、水中距離４ｍの場合、白色ＬＥＤ５からの光の刺激値Ｘ１は１０．６４、Ｙ１は１１．９９、橙色ＬＥＤ６からの光の刺激値Ｘ１’は１７．６９、Ｙ１’は１４．６６と求められた。
【００５７】
次に、水中透過後の白色ＬＥＤ５からの光の刺激値（Ｘ１＝１０．６４、Ｙ１＝１１．９９）と橙色ＬＥＤ６からの光の刺激値（Ｘ１’＝１７．６９、Ｙ１’＝１４．６６）とを各割合で加算し、陸上での白色ＬＥＤ５からの光の刺激値（Ｘ０、Ｙ０）と等しくなるように、白色ＬＥＤ５の割合ａ及び橙色ＬＥＤ６の割合ｂを算出する。各ＬＥＤ５，６の割合ａ，ｂは、次の方程式（６）により算出した。
【００５８】
Ｘ０＝ａ×Ｘ１＋ｂ×Ｘ２，Ｙ０＝ａ×Ｙ１＋ｂ×Ｙ２          ・・・（６）
この結果、ａは０．６２、ｂは０．３８と算出され、水中距離４ｍの場合、白色ＬＥＤ５の光量の割合ａは０．６２、橙色ＬＥＤ６の光量の割合ｂは０．３８と求められる。同様にして、水中距離毎に対する白色ＬＥＤ５の光量の割合と橙色ＬＥＤ６の光量の割合を求め、プロットしたグラフが図７である。
【００５９】
制御部９は、白色ＬＥＤ５及び橙色ＬＥＤ６に供給する電流量により各ＬＥＤ５，６の光量を制御するので、図７に従い各ＬＥＤ５，６に供給する電流量を調整することにより、各水中距離に対応した水中での自然な色合いを再現する。
【００６０】
筐体２側面には、ＯＮ／ＯＦＦスイッチと調整ダイヤルとを兼用するダイヤルスイッチ１１が設けられている。ダイヤルスイッチ１１は、ダイヤルを回転させることにより、照明装置１のＯＮ／ＯＦＦ信号を制御部９に入力するだけでなく、陸上と水中との判別信号を入力し、水中を表す判別信号が入力された場合は照明装置１からの水中距離を距離情報として入力する。
【００６１】
次に、本実施形態の照明装置１の作動について説明する。
【００６２】
照明装置１では、図８に示すように、バッテリ１０から制御部９に電源が供給され、撮影者のダイヤルスイッチ１１の操作により、制御部９から白色ＬＥＤ５と橙色ＬＥＤ６に電流を供給して各ＬＥＤ５，６の駆動を制御する。
【００６３】
照明装置１では、まず、撮影者により、ダイヤルスイッチ１１を介して、照明装置１の状態をＯＮ状態とＯＦＦ状態のいずれかの状態に選択され、操作状態を表すＯＮ／ＯＦＦ信号が制御部９に入力される。ＯＮ状態のときは、陸上操作と水中操作のいずれかの操作に選択され、選択された陸上操作又は水中操作を表す判別信号が制御部９に入力される。水中操作が選択されたときには、さらに照明装置１から被照射物までの往復距離である水中距離が距離情報としてダイヤル操作により制御部９に直接入力される。
【００６４】
次に、制御部９により陸上操作であると判断されたときは、電流を白色ＬＥＤのみに供給し、白色ＬＥＤ５のみが駆動される。一方、制御部９により水中操作であると判断されたときは、ダイヤルスイッチ１１により制御部９に入力された距離情報と、図７に示した水中距離と白色ＬＥＤ５及び橙色ＬＥＤ６からの光量との関係とに基づいて、白色ＬＥＤ５及び橙色ＬＥＤ６に供給する電流量が調整され、白色ＬＥＤ５及び橙色ＬＥＤ６が駆動される。そして、混色された光の光量が陸上と同じになるように制御される。
【００６５】
尚、本実施形態の照明装置１では、図１〜３に示すように、主光源としての白色ＬＥＤ５も色調整用光源の橙色ＬＥＤ６も、各々１つ照明装置１に設けられているが、白色ＬＥＤと橙色ＬＥＤとを複数にすることも可能である。白色ＬＥＤと橙色ＬＥＤとを複数にすることにより、明るさを向上させるだけでなく、全体としてムラのない照射が可能となる。
【００６６】
さらに、本実施形態の照明装置１では、水中での被照射物の色合いを調整するために、フィルタ等の部材を装着する必要がなく、部品点数を削減し、製造工程も簡素化するので、製造費用を低減できる。また、本実施形態の照明装置１では、フィルタ等の部材を必要としないことから、撮影者の操作も簡素化できる。従って、潮流が速い水中で操作を行うときでも、撮影者は容易に操作を行うことができる。
【００６７】
尚、本実施形態に照明装置１では、主光源として、ピーク波長４５０ｎｍの青色発光素子上に黄色蛍光体を配置した擬似白色ＬＥＤである白色ＬＥＤを、色調整用光源として、非白色ＬＥＤである橙色ＬＥＤを用いたが、主光源の白色ＬＥＤと色調整用光源の非白色ＬＥＤの組合せとして、例えば、青色発光素子上に緑色蛍光体と赤色蛍光体とを配置した白色ＬＥＤ、青色発光素子と緑色発光素子と赤色発光素子とを組合せた白色ＬＥＤ等のいずれかの白色ＬＥＤと、橙色ＬＥＤと、青色発光素子上に緑色蛍光体と赤色蛍光体とを配置した非白色ＬＥＤと、青色発光素子と緑色発光素子と赤色発光素子とを組合せた非白色ＬＥＤ等のいずれかの非白色ＬＥＤとの組合せを用いることができる。
【００６８】
次に、本実施形態に係る照明装置１の変形例を、図９に示す。変形例の照明装置２１は、照明装置１がダイヤルスイッチ１１により手動で距離情報を制御部９に入力するのに対して、距離計２２により自動的に照明装置２１から被照射物２３までの往復距離である水中距離を計測し、水中での距離情報として制御部９に入力するように構成されている。また、水中では、赤外線は水の吸収率が高く、その光量が大きいので、水中での被照射物２３までの距離を測距するために超音波を用いた。
【００６９】
変形例の照明装置２１は、光を照射する白色ＬＥＤ５及び橙色ＬＥＤ６近傍に、被照射物２３に超音波を送信する超音波発信部２４と、被照射物２３から反射した超音波を受信する受信する超音波受信部２５とを備える。距離計２２は、超音波発信部２４と超音波受信部２５とからの情報に基づいて、照明装置２１からの水中距離を距離情報として制御部９に入力する。それ以外の構成は、照明装置１と同様である。
【００７０】
変形例の照明装置２１によれば、距離計２２による超音波を用いた測距により、撮影者は距離情報を照明装置に入力する必要がなくなり、陸上と同様の白色ＬＥＤからの光の色合いに確実に調整することができる。
【００７１】
本実施形態に係る照明装置１の他の変形例を、図１０に示す。他の変形例の照明装置３１は、照明装置２１が照明装置２１自体に設けられた距離計２２により水中での被照射物２３までの距離を測距するのに対して、照明装置３１外部に設けられた撮像装置であるカメラ４０の距離計３２により自動的に水中距離を計測し、水中での距離情報をカメラ４０から照明装置３１に送信するように構成されている。
【００７２】
変形例の照明装置３１に用いられるカメラ４０は、被照射物３３に超音波を送信する超音波発信部３４と、被照射物３３から反射した超音波を受信する受信する超音波受信部３５と、距離計３２で作成された距離情報を照明装置３１に送信する距離情報送信部３６とを備える。距離計３２は、超音波発信部３４と超音波受信部３５とからの情報に基づいて、カメラ４０から被照射物３３までの距離を測距し、その結果から照明装置３１から被照射物３３までの往復距離を距離情報として距離情報送信部３６に入力する。
【００７３】
照明装置３１は、カメラ４０から送信された距離情報を受信し、制御部９に入力する距離情報受信部３７を備え、それ以外の構成は照明装置１と同様である。
【００７４】
変形例の照明装置３１によれば、照明装置３１の外部に設けられた撮像装置であるカメラ４０の距離計３２を用いて測距を行い、得られた距離情報を利用することにより、撮影者は距離情報を照明装置に入力する必要がなくなり、陸上と同様の白色ＬＥＤからの光の色合いに確実に調整することができる。
【符号の説明】
【００７５】
１，２１，３１…照明装置、  ２…筺体、  ５…白色ＬＥＤ、  ６…橙色ＬＥＤ、  ７…光学部材、  ９…制御部，  １０…バッテリ，  １１…ダイヤルスイッチ，  ２２…距離計，  ２４…超音波発信部，  ２５…超音波受信部，  ３２…距離計，  ３４…超音波発信部，  ３５…超音波受信部，  ３６…距離情報送信部，  ３７…距離情報受信部，  ４０…カメラ。
【図１】
2012059411.tif 000007
【図２】
2012059411.tif 000008
【図３】
2012059411.tif 000009
【図４】
2012059411.tif 000010
【図５】
2012059411.tif 000011
【図６】
2012059411.tif 000012
【図７】
2012059411.tif 000013
【図８】
2012059411.tif 000014
【図９】
2012059411.tif 000015
【図１０】
2012059411.tif 000016